【事件の表示】
　特願２０１８−２４８３２７「情報処理装置、情報処理方法および情報処理プログラム」拒絶査定不服審判事件〔令和　２年　７月　９日出願公開、特開２０２０−１０７２６９、請求項の数（１８）〕について、次のとおり審決する。
【結　論】
　原査定を取り消す。
　本願の発明は、特許すべきものとする。
【理　由】
第１　手続の経緯
　本願は、平成３０年１２月２８日の出願であって、令和元年６月２１日に拒絶理由が通知され、同年８月３０日に意見書が提出されるとともに手続補正がなされたが、同年１１月１日付けで拒絶の査定がなされ、これに対し、令和２年７月２０日に拒絶査定不服審判の請求がなされると同時に手続補正がなされたものである。
第２　原査定の理由の概要
　原査定（令和元年１１月１日付け拒絶査定）の概要は次のとおりである。
　本願請求項１、７−１０、１２、１４、１６−１８に係る発明は、以下の引用文献１に記載された発明であるから特許法第２９条第１項第３号の規定により特許を受けることができない。また、本願請求項１、７−１４、１６−１８に係る発明は、以下の引用文献１−４に基づいて、その発明の属する技術の分野における通常の知識を有する者（以下「当業者」という。）が容易に発明をすることができたものであるから、特許法第２９条第２項の規定により特許を受けることができない。
引用文献等一覧
　１．特開２０１２−２５２３９４号公報
　２．特開２００９−２５２１５２号公報
　３．特開２０１４−２２８９７０号公報
　４．尾崎　憲和，２０００年度システム・プロバイダ業績ランキング，日経システムプロバイダ，日本，日経ＢＰ社，２００１年　７月２０日，ｎｏ．１３１，P38-P39
第３　本願発明
　本願請求項１−１８に係る発明（以下、それぞれ「本願発明１」−「本願発明１８」という。）は、令和２年７月２０日にされた手続補正により補正された特許請求の範囲１−１８に記載された事項により特定される発明であり、以下のとおりの発明である。
【請求項１】
　商品を検索するための検索クエリを受け付ける受付部と、
　前記受付部により受け付けられた検索クエリに対応する商品を取り扱っている店舗間において当該店舗毎の販売に関する実績情報が比較された比較結果に基づき、当該店舗それぞれに対して付された順位に応じて抽出された店舗での前記順位を示す順位情報を提示する提示部と
　を有することを特徴とする情報処理装置。
【請求項２】
　前記提示部は、前記順位情報として、前記検索クエリに対応する商品を取り扱っている店舗間において当該店舗毎の売上が比較された比較結果に基づき、当該店舗それぞれに対して順位付けされた結果である売上順位に応じて抽出された店舗での前記売上順位を示す順位情報を提示する
　ことを特徴とする請求項１に記載の情報処理装置。
【請求項３】
　前記提示部は、前記順位情報として、前記検索クエリに対応する商品として、前記検索クエリに対応する商品に関連する関連商品を取り扱っている店舗間において当該店舗毎の売上が比較された比較結果に基づき、当該店舗それぞれに対して順位付けされた結果である売上順位に応じて抽出された店舗での前記売上順位を示す順位情報を提示する
　ことを特徴とする請求項１または２に記載の情報処理装置。
【請求項４】
　前記提示部は、前記順位情報として、前記検索クエリに対応する商品での前記売上順位に応じて抽出された店舗での前記売上順位を示す順位情報を提示する
　ことを特徴とする請求項２または３に記載の情報処理装置。
【請求項５】
　前記提示部は、前記順位情報として、前記検索クエリに対応する商品を取り扱っている店舗間において当該店舗毎に評価された評価情報であって、顧客満足度が評価された評価情報が比較された比較結果に基づき、当該店舗それぞれに対して順位付けされた結果である評価順位に応じて抽出された店舗での前記評価順位を示す順位情報を提示する
　ことを特徴とする請求項１〜４のいずれか１つに記載の情報処理装置。
【請求項６】
　前記提示部は、前記順位情報として、前記検索クエリに対応する商品に関する顧客満足度が評価された評価情報での前記評価順位に応じて抽出された店舗での前記評価順位を示す順位情報を提示する
　ことを特徴とする請求項５に記載の情報処理装置。
【請求項７】
　前記提示部は、前記店舗毎に当該店舗の前記順位情報を提示する
ことを特徴とする請求項１〜６のいずれか１つに記載の情報処理装置。
【請求項８】
　前記提示部は、前記順位情報が提示される店舗毎に、当該店舗で取り扱われている商品であって前記検索クエリに対応する商品に関する商品情報を提示する
　ことを特徴とする請求項１〜７のいずれか１つに記載の情報処理装置。
【請求項９】
　前記提示部は、前記商品情報として、前記商品のうち、当該商品に関する所定の評価値に基づき抽出された商品に関する商品情報を提示する
　ことを特徴とする請求項８に記載の情報処理装置。
【請求項１０】
　前記提示部は、前記所定の評価値として、前記商品に対する閲情情報に基づく評価値、前記商品が購入された購入数に基づく評価値、または、前記商品に対する売上金額に基づく評価値の少なくともいずれか１つに基づき抽出された商品に関する商品情報を提示する
　ことを特徴とする請求項９に記載の情報処理装置。
【請求項１１】
　前記提示部は、前記商品情報として、前記商品のうち、前記検索クエリを用いて検索したユーザの属性情報に基づき抽出された商品に関する商品情報を提示する
　ことを特徴とする請求項８〜１０のいずれか１つに記載の情報処理装置。
【請求項１２】
　前記提示部は、前記検索クエリを用いて検索される直前に閲覧された商品が前記検索クエリに対応する商品である場合に、前記商品情報として、前記検索クエリを用いて検索される直前に閲覧された商品に関する商品情報を提示する
　ことを特徴とする請求項８〜１１のいずれか１つに記載の情報処理装置。
【請求項１３】
　前記提示部は、前記受付部により受け付けられた検索クエリに対応する商品を取り扱っている店舗のうち、所定値以上の評価実績、または、所定額以上の売上実績を有する店舗の前記順位情報を提示する
　ことを特徴とする請求項１〜１２のいずれか１つに記載の情報処理装置。
【請求項１４】
　前記提示部は、前記検索クエリのうち、当該検索クエリでの検索回数の実績値が所定値以上の検索クエリが前記受付部により受け付けられた場合に、前記順位情報を提示する
　ことを特徴とする請求項１〜１３のいずれか１つに記載の情報処理装置。
【請求項１５】
　前記提示部は、複数のキーワードで構成される検索クエリのうち、当該検索クエリでの検索回数の実績値が所定値より少ない検索クエリが前記受付部により受け付けられた場合には、当該検索クエリを構成する前記複数のキーワードの中から、少なくともいずれか１つのキーワードが除外され、当該キーワードが除外された後の検索クエリでの検索回数の実績値が当該所定値以上である場合には、前記順位情報を提示する
　ことを特徴とする請求項１〜１４のいずれか１つに記載の情報処理装置。
【請求項１６】
　前記提示部は、前記検索クエリに対応する検索結果とともに前記順位情報を提示する
　ことを特徴とする請求項１〜１５のいずれか１つに記載の情報処理装置。
【請求項１７】
　情報処理装置が実行する情報処理方法であって、
　商品を検索するための検索クエリを受け付ける受付工程と、
　前記受付工程により受け付けられた検索クエリに対応する商品を取り扱っている店舗間において当該店舗毎の販売に関する実績情報が比較された比較結果に基づき、当該店舗それぞれに対して付された順位に応じて抽出された店舗での前記順位を示す順位情報を提示する提示工程と
　を含むことを特徴とする情報処理方法。
【請求項１８】
　商品を検索するための検索クエリを受け付ける受付手順と、
　前記受付手順により受け付けられた検索クエリに対応する商品を取り扱っている店舗間において当該店舗毎の販売に関する実績情報が比較された比較結果に基づき、当該店舗それぞれに対して付された順位に応じて抽出された店舗での前記順位を示す順位情報を提示する提示手順と
　をコンピュータに実行させることを特徴とする情報処理プログラム。
第４　引用文献、引用発明等
１　引用文献１の記載事項と引用発明
　原査定の拒絶の理由に引用された上記引用文献１には、図面とともに次の事項が記載されている（下線は当審で付与した。以下、同様。）。
　「【００２３】
　図１は、本発明の実施形態に係る電子商取引システムの全体構成を示す。図１に示すように、本実施形態に係る電子商取引システム１は、
サーバ１０と、データベース１２と、複数の店舗端末４と、複数のユーザ端末６とを含む
サーバ１０とユーザ端末６との間では相互にデータ通信が可能である。サーバ１０と店舗端末４との間でも相互にデータ通信が可能である
【００２４】
　サーバ１０は、例えば仮想商店街のポータルとして機能する仮想商店街サーバである。
サーバ１０は、店舗端末４又はユーザ端末６から受信した処理要求に基づく処理を実行する
サーバ１０は、プログラムに従って処理を実行する制御部（例えばＣＰＵ等）
【００２５】
　制御部は補助記憶部に記憶されたプログラムに従って処理を実行する。例えば、プログラムやデータは光ディスク（情報記憶媒体）を介して補助記憶部に供給される。すなわち、プログラムやデータが記憶された光ディスクが光ディスクドライブに装着され、光ディスクに記憶されたプログラムやデータが光ディスクドライブによって読み出され、補助記憶部に記憶される。なお、光ディスク以外の情報記憶媒体（例えばメモリカード）を介してプログラムやデータを補助記憶部に供給するようにしてもよい。また、プログラム及びデータは通信ネットワーク２を介して補助記憶部に供給されるようにしてもよい。
【００２６】
　
サーバ１０はデータベース１２にアクセスできるようになっている。
【００２７】
　店舗端末４は、仮想商店街に出店する店舗側に設けられた情報処理装置である。店舗端末４は、例えばパーソナルコンピュータ等である。店舗端末４は、仮想商店街で販売する商品の情報等をサーバ１０を介してデータベース１２に登録するために用いられる。例えば、店舗端末４ではサーバ１０から提供される専用画面が表示される。
【００２８】
　
ユーザ端末６はユーザによって操作される情報処理装置である。ユーザ端末６は、例えばパーソナルコンピュータ、携帯電話機、又は携帯情報端末等である。ユーザ端末６は仮想商店街で商品を購入するために用いられる。
【００２９】
　本実施形態の場合、例えば、サーバ１０ではＨＴＴＰデーモンが起動される。また、店舗端末４又はユーザ端末６ではブラウザが起動され、店舗端末４又はユーザ端末６からは、ブラウザを介して処理要求（ＨＴＴＰリクエスト）がサーバ１０に送信される。また、サーバ１０からは、上記の処理要求に対応する処理結果（ＨＴＴＰレスポンス）が店舗端末４又はユーザ端末６に送信される。例えば、ウェブページ記述言語で記述されたページデータが店舗端末４又はユーザ端末６に送信される。そして、このページデータに基づいて、処理結果に基づく画面が店舗端末４又はユーザ端末６の表示部に表示される。
【００３０】
　仮想商店街を利用する場合に
ユーザ端末６の表示部
仮想商店街を利用するユーザがユーザ端末６を用いてサーバ１０にアクセスすると、仮想商店街のトップページデータがサーバ１０からユーザ端末６に送信され、仮想商店街のトップ画面（トップページ：図示せず）がユーザ端末６の表示部に表示される。ユーザは商品のカテゴリーを選択したり、商品を検索したりすることによって、所望の商品を探す
【００３１】
　
図２は、ユーザが商品のカテゴリーを選択したり、商品を検索したりした場合に表示部に表示される商品一覧画面の一例を示す
【００３２】
　
図２に示す商品一覧画面２０の一覧領域２１には、「テレビ」カテゴリーに所属する商品の一覧が表示されている。商品の名称
店舗
評価ポイント
店舗」は、その商品を販売している店舗を示している
「評価ポイント」は、その商品を購入したユーザによるその商品の評価結果を示す数値である
【００３３】
　また、一覧領域２１では商品名がリンクボタンになっている。すなわち、商品の詳細を示す商品ページデータへのリンク情報が商品名に関連づけられており、ユーザが商品名を選択すると、商品画面（商品ページ：図示せず）が表示部に表示されるようになっている。商品画面において、ユーザは商品の購入手続きを行ったり、他のユーザによる商品の評価結果を確認したりできるようになっている。
【００３４】
　
商品一覧画面２０には、キーワード入力欄２２と価格入力欄２３，２４と検索ボタン２５が表示されており、ユーザが商品の一覧をさらに絞りこむための絞り込み条件（検索条件）を入力できるようになっている。
【００３５】
　
キーワード入力欄２２はキーワードを入力するための欄である
検索ボタン２５が選択されると、検索条件を満足する商品一覧が一覧領域２１に表示される。例えば、キーワード入力欄２２にキーワードが入力された状態でユーザが検索ボタン２５を選択すると、例えば、商品ページにキーワードが含まれている商品の一覧が一覧領域２１に表示される
【００３６】
　また、商品一覧画面２０には、表示順序を選択するための表示順序選択欄２６が表示されており、ユーザが商品一覧の表示順序を選択できるようになっている。図２に示す商品一覧画面２０では、商品一覧をソートする場合のキー項目とする属性項目として、「価格（安い順）」、「価格（高い順）」、「販売店舗数」、「売上」、「評価」、又は「閲覧数」を選択できるようになっている。
【００３７】
　「価格（安い順）」又は「価格（高い順）」が選択された場合、価格の昇順又は降順でソートされた商品一覧が一覧領域２１に表示される。「販売店舗数」が選択された場合、商品を販売している店舗の数の降順でソートされた商品一覧が一覧領域２１に表示される。「売上」が選択された場合、対象期間（例えば最近１週間）内における売上数の降順でソートされた商品一覧が一覧領域２１に表示される。
【００３８】
　「評価」が選択された場合、評価ポイントの降順でソートされた商品一覧が一覧領域２１に表示される。「閲覧回数」が選択された場合、対象期間（例えば最近１週間）内に商品画面（商品ページ）が閲覧された回数の降順でソートされた商品一覧が一覧領域２１に表示される。なお、商品の閲覧回数が多いことは、商品に関心を持っているユーザが多いことを示している。
【００３９】
　なお、一覧領域２１に表示可能な商品の最大件数が予め設定されている。図２に示す商品一覧画面２０は上記の最大件数が１０件である場合の例を示している。
【００４０】
　商品のカテゴリーが選択されたことによって商品一覧画面２０が表示された場合、検索ボタン２５が選択された場合や、表示順序選択欄２６で表示順序が選択された場合には、商品一覧に含まれる商品のうちの、ソート順位が第１番目〜第Ｎ（Ｎ：上記の最大件数）番目である商品の一覧が表示される。
【００４１】
　例えば、図２に示す商品一覧画面２０の場合、「テレビ」カテゴリーに属する商品は１００件あり、それらの商品のうちの、ソート順位が第１番目〜第１０番目の商品の一覧が一覧領域２１に表示されている。なお、ユーザはボタン２７を選択することによって、次の１０件の商品を一覧領域２１に表示させることができる。すなわち、図２に示す状態においてボタン２７が選択されると、ソート順位が第１１番目〜第２０番目の商品の一覧が一覧領域２１に表示される。
【００４２】
　なお、以下では、ソート順位が第１番目〜第１０番目の商品の一覧が一覧領域２１に表示される商品一覧画面２０のことを「第１ページ目の商品一覧ページ」と記載する。また、ソート順位が第１１番目〜第２０番目の商品の一覧が一覧領域２１に表示される商品一覧画面２０のことを「第２ページ目の商品一覧ページ」と記載する。
【００４３】
　上述したように、第２ページ目以降の商品一覧ページを閲覧するために（言い換えれば、ソート順位が第１０番目よりも低い商品の一覧を閲覧するために）、ユーザはボタン２７を選択する必要がある。このため、第１ページ目の商品一覧ページに一覧表示される商品（すなわち、ソート順位が第１番目〜第１０番目の商品）に関してはユーザの目に留まりやすいが、第２ページ目以降の商品一覧ページに一覧表示される商品（すなわち、ソート順位が第１０番目よりも低い商品）はユーザの目に留まりにくくなっている。」
　「【００４８】
　図３は、本実施形態に係る電子商取引システム１において実現される機能ブロックのうち、本発明に関連する機能ブロックを示す機能ブロック図である。図３に示すように、
電子商取引システム１は、記憶部３０、キー項目取得部３２、情報一覧取得部３３、広告対象選出部３４、及び画面データ生成部３５を含んでいる。例えば、記憶部３０はデータベース１２によって実現される。また、キー項目取得部３２、情報一覧取得部３３、広告対象選出部３４、及び画面データ生成部３５はサーバ１０によって実現される。すなわち、サーバ１０の制御部がプログラムに従って処理を実行することによって、制御部がこれらの機能ブロックとして機能するようになる
【００４９】
　まず、
記憶部３０
記憶部３０は情報一覧記憶部３１を含んでいる。情報一覧記憶部３１は情報一覧を記憶する。本実施形態の場合、情報一覧記憶部３１は商品一覧を記憶する。すなわち、本実施形態の場合、「商品一覧」が上記の「情報一覧」が相当する
【００５０】
　図４〜図６は記憶部３０に記憶されるデータの一例を示している。
図４は商品テーブルの一例を示している。仮想商店街で取り扱われている商品の共通情報が商品テーブルに登録される。すなわち、商品に関する情報のうち、販売している店舗に依らない情報が商品テーブルに記憶される
「商品ＩＤ」、「名称」、及び「カテゴリー」フィールド
【００５１】
　
図５は販売商品テーブルの一例を示している。仮想商店街の各店舗で販売されている商品の情報が販売商品テーブルが登録される
「店舗ＩＤ」、「商品ＩＤ」、「価格」
【００５２】
　「店舗ＩＤ」フィールドには、店舗を一意に識別するための識別情報（店舗ＩＤ）が登録される。なお、店舗の詳細情報は店舗テーブル（図示せず）に登録される。「商品ＩＤ」フィールドには、店舗が販売している商品の商品ＩＤが登録される。図５に示す販売商品テーブルの場合、商品ＩＤが「Ｇ０００１」の商品が、店舗ＩＤが「Ｓ００１」である店舗と店舗ＩＤが「Ｓ００２」である店舗との二つの店舗で販売されていることを示している。「価格」フィールドには商品の販売価格が登録される。
【００５３】
　「商品ページ」フィールドには商品ページデータを示す情報が登録される。例えば、商品ページデータのＵＲＬが「商品ページ」フィールドに登録される。「広告フラグ」フィールドには、商品を販売している店舗が商品の広告を希望しているか否かを示すフラグ情報（広告フラグ）が登録される。例えば、「０」又は「１」の値が「広告フラグ」フィールドに登録される。値「０」は店舗が広告を希望していないことを示し、値「１」は店舗が広告を希望していることを示す。「広告データ」フィールドには、広告領域２８に広告を表示するためのデータが登録される。「閲覧履歴」フィールドには、商品画面（商品ページ）の閲覧履歴に関する情報が登録される。例えば、商品ページデータがユーザ端末６に送信された日時の履歴が「閲覧履歴」フィールドに登録される。
【００５４】
　
図６は購入履歴テーブルの一例を示す。各ユーザの商品購入履歴が購入履歴テーブルに登録される。
「金額」、及び「評価結果」フィールド
【００５５】
　「取引ＩＤ」フィールドには取引を一意に識別するための識別情報（取引ＩＤ）が登録される。「ユーザＩＤ」フィールドには商品を購入したユーザのユーザＩＤが登録される。ユーザＩＤはユーザを一意に識別するための識別情報である。「商品ＩＤ」フィールドには、ユーザによって購入された商品の商品ＩＤが登録され、「店舗ＩＤ」フィールドには、ユーザが商品を購入した店舗の店舗ＩＤが登録される。
【００５６】
　「購入日時」フィールドにはユーザが商品を購入した日時が登録される。「個数」フィールドにはユーザが購入した個数が登録され、「金額」フィールドにはユーザが店舗に支払った金額が登録される。
「評価結果」フィールドには、購入した商品に対するユーザの評価結果が登録される。「評価結果」フィールドには「評価ポイント」及び「評価コメント」フィールドが含まれている。「評価ポイント」フィールドにはユーザによって入力された評価ポイント（例えば１〜５の整数値）が登録される。「評価コメント」フィールドにはユーザによって入力されたコメントが登録される。評価ポイントや評価コメントは、商品を購入したユーザによって、実際に商品を使用した結果を踏まえて登録される
【００５７】
　キー項目取得部３２について説明する。キー項目取得部３２は、情報一覧をソートする場合のキー項目としてユーザによって選択された属性項目を取得する。なお、キー項目は複数の属性項目のうちからユーザによって選択される。
【００５８】
　本実施形態の場合、商品の属性に関する複数の属性項目が上記の「複数の属性項目」に相当する。具体的には、表示順序選択欄２６でキー項目として選択可能な属性項目である「価格（安い順）」、「価格（高い順）」、「販売店舗数」、「売上」、「評価」、及び「閲覧数」が上記の「複数の属性項目」に相当する。本実施形態の場合、キー項目取得部３２は、商品一覧画面２０の表示順序選択欄２６においてユーザによってキー項目として選択された属性項目を取得する。
【００５９】
　
情報一覧取得部３３について説明する。情報一覧取得部３３は情報一覧記憶部３１に記憶される情報一覧の全部又は一部を取得する
【００６０】
　例えば、情報一覧取得部３３は、ユーザによって指定されたカテゴリーに属する商品の一覧を取得する。
【００６１】
　例えば、ユーザによって指定されたカテゴリーが「テレビ」である場合、情報一覧取得部３３は「テレビ」カテゴリーに属する商品の一覧を取得する。なお、この場合、情報一覧取得部３３は、情報一覧記憶部３１に記憶される全カテゴリーの商品一覧のうちから、「テレビ」カテゴリーに属する商品の一覧を取得するものであると捉えることができる。すなわち、情報一覧取得部３３は、情報一覧記憶部３１に記憶される全カテゴリーの商品一覧のうちの一部を取得するものであると捉えることができる。また、この場合、情報一覧取得部３３は、情報一覧記憶部３１に記憶される「テレビ」カテゴリーの商品一覧の全部を取得するものであるとも捉えることができる。
【００６２】
　また例えば、
情報一覧取得部３３は、ユーザによって指定されたカテゴリーに属し、かつ、ユーザによって入力された絞り込み条件を満足する商品の一覧を取得する
【００６３】
　例えば、ユーザによって指定されたカテゴリーが「テレビ」である場合、情報一覧取得部３３は、「テレビ」カテゴリーに属する商品の一覧のうちから、ユーザによって入力された絞り込み条件を満足する商品の一覧を取得する。なお、この場合、情報一覧取得部３３は、情報一覧記憶部３１に記憶される全カテゴリーの商品一覧のうちから、「テレビ」カテゴリーに属し、かつ、ユーザによって入力された絞り込み条件を満足する商品の一覧を取得するものであると捉えることができる。または、この場合、情報一覧取得部３３は、情報一覧記憶部３１に記憶される「テレビ」カテゴリーの商品一覧のうちから、ユーザによって入力された絞り込み条件を満足する商品の一覧を取得するものであるとも捉えることができる。すなわち、情報一覧取得部３３は、情報一覧記憶部３１に記憶される「テレビ」カテゴリーの商品一覧のうちの一部を取得するものであるとも捉えることができる。」
　「【００６７】
　本実施形態の場合、商品一覧画面２０が上記の「画面」に相当している。すなわち、
画面データ生成部３５は商品一覧画面２０の画面データ（商品一覧ページデータ）を生成する。上述したように、商品一覧画面２０は一覧領域２１
を含んでいる
【００６８】
　
一覧領域２１には、情報一覧取得部３３によって取得される商品一覧の全部又は一部が表示される
【００６９】
　また、ユーザによってキー項目として指定された属性項目がキー項目取得部３２によって取得された場合、一覧領域２１には、情報一覧取得部３３によって取得される情報一覧の全部又は一部が、キー項目取得部３２によって取得された属性項目をキー項目としてソートされた状態で表示される。」
　「【００７４】
　
画面データ生成部３５は、生成した画面データをユーザ端末６に送信する。
　「【００８６】
　以上に説明した
キー項目取得部３２、情報一覧取得部３３、
及び画面データ生成部３５は、サーバ１０の制御部がプログラムに従って処理を実行することによって実現される
サーバ１０の制御部が図７に示す処理をプログラムに従って実行することによって、制御部が上記の機能ブロックとして機能するようになる
【００８７】
　図７は、商品一覧画面２０の検索ボタン２５が選択された場合や、表示順序選択欄２６において表示順序が指定された場合に実行される処理を示している。
【００８８】
　商品一覧画面２０の検索ボタン２５が選択された場合や、表示順序選択欄２６において表示順序が指定された場合、図７に示すように、
ユーザ端末６の制御部は商品一覧ページデータを要求する（Ｓ１０１）。
【００８９】
　このＨＴＴＰリクエストには、ユーザによって指定されたカテゴリーに関する情報や、
キーワード入力欄２２
に入力された内容に関する情報が検索条件に関する情報として関連づけられており、これらの情報がサーバ１０に送信される
【００９０】
　
サーバ１０の制御部はユーザ端末６から送信されたＨＴＴＰリクエストを受信する。また、制御部は検索条件
キーワード
も受信する
制御部（情報一覧取得部３３）は検索処理を実行する
制御部は、検索条件（例えば、カテゴリー、キーワード及び価格）を満足する商品の一覧であって、かつ、ソートのキー項目でソートされた商品一覧を取得する
【００９１】
　なお、
ソートのキー項目として選択され得る属性項目の値は販売商品テーブル又は取引履歴テーブルに基づいて取得される。
各商品の「評価」は取引履歴テーブルの「評価ポイント」フィールドに基づいて取得される
「【０１０３】
　ステップＳ１０３の処理が実行された後、
制御部（画面データ生成部３５）は、ステップ１０２及びＳ１０３の処理結果に基づいて、商品一覧ページデータを生成する（Ｓ１０４）
【０１０４】
　制御部は、ステップＳ１０４で生成された商品一覧ページデータをユーザ端末６に返信する（Ｓ１０５）。ユーザ端末６は商品一覧ページデータを受信し、該商品一覧ページデータに基づいて商品一覧画面２０を表示部に表示させる。以上で図７に示す処理の説明は終了する。」
　以上の事項からみて、引用文献１には、次の発明（以下、「引用発明」という。）が記載されていると認められる。
（引用発明）
　「データベースにアクセスでき、ユーザ端末との間では相互にデータ通信が可能であるサーバであって（【００２３】、【００２６】）、
　サーバは、情報一覧取得部と、画面データ生成部として機能し、プログラムに従って処理を実行する制御部を有し（【００２４】、【００４８】）、
　データベースは、情報一覧記憶部を有する記憶部により実現され、店舗端末により登録された仮想商店街で販売する商品の情報を記憶し（【００４８】〜【００５０】）、
　ユーザは、ユーザ端末の表示部に表示された仮想商店街のトップ画面から、商品のカテゴリーを選択したり、商品を検索したりすることによって、所望の商品を探すことができ（【００３０】）、
　ユーザ端末の商品一覧画面のキーワード入力欄にキーワードが入力された状態で検索ボタンが選択された場合や、表示順序選択欄において表示順序が指定された場合（【００３５】、【００８８】）、
　　サーバの制御部は、カテゴリー、キーワード及び価格を含む検索条件を受信し（【００９０】）、
　　情報一覧取得部は、検索処理を実行し、情報一覧記憶部に記憶される商品一覧のうちから検索条件を満足する商品の一覧を取得し（【００５９】、【００９０】）、
　　画面データ生成部は、情報一覧取得部によって取得される商品の一覧の全部又は一部と、店舗と、評価ポイントが表示された商品一覧画面の画面データを生成し、生成した画面データをユーザ端末に送信する（【００３２】、【００６７】、【００７４】、【０１０３】）、
　サーバ（【００２３】）。」
２　引用文献２の記載事項
　原査定の拒絶理由で引用された上記引用文献２には、以下の記載がある。
　「【００２６】
　図４は、本発明の一実施の形態におけるシステム構成を示す。
【００２７】
　同図に示すシステムは、携帯端末を含むユーザ側の構成と、
商店街・ショッピングモールシステム１２７
【００２８】
　ユーザ側は、携帯電話、ＰＤＡ等の携帯端末１０１、購入希望リスト蓄積部１０２、検索結果蓄積部１０３、ユーザ属性蓄積部１０４から構成される。なお、購入希望リスト蓄積部１０２、検索結果蓄積部１０３、ユーザ属性蓄積部１０４は、携帯端末１０１に接続する構成としてもよいし、携帯端末１０１に内蔵してもよい。
【００２９】
　商店街・ショッピングモールシステム１２７は、無線ＬＡＮ１０５に複数の店舗端末１０７，１０８，１０９と、無線送受信装置部１０６、及び、
商店街・ショッピングモールサーバ（以下、単に「サーバ」と記す）１２６
　「【００５６】
　ステップ２０５） 
上記の携帯端末１０１を持つユーザが、商店街・ショッピングモールの無線ＬＡＮエリアに入ると
無線ＬＡＮ１０５に接続し、サーバ１２６に対して、購入希望商品情報、ユーザの属性情報を送信する
　「【００６０】
　ステップ２０９） 
検索キーワード作成部１１６は、ユーザの属性情報を解析し、リコメンド検索用の検索キーワードを生成し、検索部１１７において希望商品以外のリコメンド候補を検索する。
【００６１】
　ステップ２１０） サーバ１２６は、ユーザの購入希望商品、その商品の取り扱い店舗情報、リコメンド商品、その商品の取扱店舗情報を検索結果として、メッセージ作成部１２２で検索結果フォームを作成する。
【００６２】
　ステップ２１１） 
サーバ１２６は、検索結果フォームを電子メールで、携帯端末１０１に送信する
　上記記載からみて、引用文献２には、
「商店街・ショッピングモールシステムに用いられるサーバは、ユーザの属性情報を解析し、検索を行い、検索結果を携帯端末に送信する」
技術が記載されているといえる。
３　引用文献３の記載事項
　原査定の拒絶理由で引用された上記引用文献３には、以下の記載がある。
　「【００１７】
　（情報処理システムの構成） 図１に示すように、情報処理システムは、
情報配信サーバ２００（コンテンツ検索結果提供装置）
　「【００８９】
　また、本実施形態の情報配信サーバ２００において、入替評価部２０８は、コンテンツ評価部２０７がソートしてコンテンツ評価値順に並んだ各コンテンツのうち、所定の順位以上の上位のコンテンツを固定コンテンツとすることにより、
コンテンツ評価値が所定の順位以上のコンテンツを固定コンテンツとでき、ユーザにとって有意義なコンテンツである可能性が高いコンテンツ評価値が高いコンテンツ（固定コンテンツ）を、一定数必ず出力する
【００９０】
　また、本実施形態の情報配信サーバ２００において、入替評価部２０８は、
コンテンツ評価部２０７がソートしてコンテンツ評価値順に並んだ各コンテンツのうち、該コンテンツ評価値が所定の値よりも大きいコンテンツを固定コンテンツとすることにより、予め設定した値（閾値）以上のコンテンツ評価値を有するコンテンツのみが、固定コンテンツとして上位で出力される
　上記記載からみて、引用文献３には、
　「情報通信サーバは、コンテンツ評価値が所定の値よりも大きいコンテンツを固定コンテンツとして上位で出力する」
技術が記載されているといえる。
４　引用文献４の記載事項
　原査定の拒絶理由で引用された上記引用文献４には、以下の記載がある。
　「業績ランキングの方法
　２０００年度業績ランキングは、本誌が独自に収集した全国のシステム・プロバイダのリストと、株式市場・店頭公開企業の合計２２７５社にアンケートを実施。回収した３４８社の業績を集計した。
このうち、２０００年度売上高が１００億円以上のシステム・プロバイダ１４５社を業績ランキングの対象にした。同１００億円未満のシステム・プロバイダの場合、経営指標の変動幅が大きく比較が難しいためだ。
　今回の業績ランキングからは、２０００年３月期から本格導入されている連結決算をべースにした。多くのシステム・プロバイダにおいては、連結と単独の間に大きな差はないが、グループ企業間での役割分担することでワンストップ・サービスの提供を目指す企業グループも増えていることから、連結べースの数値を優先することにした。
　業績ランキングにおいては、売上高伸び率を「成長性」、売上高営業利益率を「収益力」、総資産経常利益率を「経営効率」、社員１人当たり経常利益を「生産性」と、それぞれ定義して経営指標を計算しランキングしている。
　各項目の平均値は、売上高１００憶円以上の業績ランキング対象企業の業績を集計した結果である。売上高１００億円未満の企業の業績は５６〜５９ぺージの表１４に掲載した。」（３８頁）
　上記記載からみて、引用文献４には、以下の事項が記載されている。
　「２０００年度売上高が１００億円以上のシステム・プロバイダ１４５社を業績ランキングの対象にした。」
第５　対比・判断　
１　本願発明１について
（１）対比
　本願発明１と引用発明を対比すると、次のことがいえる。
ア　引用発明の「サーバの制御部」は、「カテゴリー、キーワード及び価格を含む検索条件」を「受信」すると、ユーザは、所望の商品を探すことができる。よって、引用発明の「カテゴリー、キーワード及び価格を含む検索条件」は、本願発明１の「商品を検索するための検索クエリ」に相当することから、引用発明の「サーバの制御部」は、本願発明１の「商品を検索するための検索クエリを受け付ける受付部」に相当する。
イ　引用発明の「商品の一覧」は、制御部が受信した検索条件を満たす点で、本願発明１の「受付部により受け付けられた検索クエリに対応する商品を取り扱っている店舗間において当該店舗毎の販売に関する実績情報が比較された比較結果」と、「受付部により受け付けられた検索クエリに対応する処理結果」で共通する。
ウ　また、引用発明の「商品一覧画面の画面データ」は、商品の一覧の全部又は一部と、店舗と、評価ポイントが表示された画面のデータである点で、本願発明１の「当該店舗それぞれに対し手付された順位に応じて抽出された店舗での前記順位を示す順位情報」と、「提示情報」で共通する。
エ　そして、引用発明の、商品の一覧に基づいて商品一覧画面の画面データをユーザの端末に送信することから、この点は、本願発明１の「受付部により受け付けられた検索クエリに対応する商品を取り扱っている店舗間において当該店舗毎の販売に関する実績情報が比較された比較結果に基づいて、当該店舗それぞれに対して付された順位に応じて抽出された店舗での前記順位を示す順位情報を提示」することと、「受付部により受け付けられた検索クエリに対応する処理結果に基づいて、提示情報を提示する」ことで共通する。
オ　さらに、引用発明の上記エの機能を有する「画面データ生成部」は、本願発明１の「提示部」と、「処理結果提示部」で共通する。
カ　上記アないしオより、引用発明の「サーバ」は、本願発明１の「情報処理装置」といえる。
　上記アないしカより、本願発明１と引用発明とは、以下の点で一致し、また相違する。
（一致点）
「商品を検索するための検索クエリを受け付ける受付部と、
　受付部により受け付けられた検索クエリに対応する処理結果に基づいて、提示情報を提示する処理結果提示部
　を有する情報処理装置。」
（相違点１）
「受付部により受け付けられた検索クエリに対応する処理結果」が、本願発明１では「受付部により受け付けられた検索クエリに対応する商品を取り扱っている店舗間において当該店舗毎の販売に関する実績情報が比較された比較結果」であるのに対し、引用発明では、「サーバの制御部が受信した検索条件を満足する商品の一覧」である点。
（相違点２）
　「提示情報」が、本願発明１では「当該店舗それぞれに対して付された順位に応じて抽出された店舗での前記順位を示す順位情報」であるのに対し、引用発明では、「商品の一覧の全部又は一部と、店舗と、評価ポイントが表示された商品一覧画面の画面データ」である点。
（相違点３）
　「処理結果提示部」が、本願発明１では「当該店舗それぞれに対して付された順位に応じて抽出された店舗での前記順位を示す順位情報」を提示する「提示部」であるのに対し、引用発明では、「商品の一覧の全部又は一部と、店舗と、評価ポイントが表示された商品一覧画面の画面データ」を提示する「画像データ生成部」である点。
（２）判断
（相違点１、相違点２）について
　引用文献２ないし４のいずれにも、「受付部により受け付けられた検索クエリに対応する商品を取り扱っている店舗間において当該店舗毎の販売に関する実績情報が比較された比較結果」は記載されていない。
　すると、引用発明において、「受付部により受け付けられた検索クエリに対応する商品を取り扱っている店舗間において当該店舗毎の販売に関する実績情報が比較された比較結果」に基づいて「当該店舗それぞれに対して付された順位に応じて抽出された店舗での前記順位を示す順位情報」を提示する構成とすることは、当業者が容易に想到できたとはいえない。
（３）まとめ
　したがって、相違点３について検討するまでもなく、本願発明は、当業者であっても、引用発明と引用文献２ないし４に記載された事項に基づいて、容易に発明をすることができたものではない。
２　本願発明２−１６について
　本願発明２−１６は、本願発明１を減縮した発明であって、上記の１（１）相違点１ないし相違点３に係る「前記受付部により受け付けられた検索クエリに対応する商品を取り扱っている店舗間において当該店舗毎の販売に関する実績情報が比較された比較結果に基づき、当該店舗それぞれに対して付された順位に応じて抽出された店舗での前記順位を示す順位情報を提示する」を構成に備えるから上記１（２）で検討した理由と同様の理由により、引用発明と引用発明２ないし４に記載された事項とに基づいて、当業者が容易に発明をすることができたものではない。
３　本願発明１７、１８について
　本願発明１７、１８は、本願発明１のカテゴリを変更した発明であって、上記１（１）相違点１ないし相違点３に係る「前記受付部により受け付けられた検索クエリに対応する商品を取り扱っている店舗間において当該店舗毎の販売に関する実績情報が比較された比較結果に基づき、当該店舗それぞれに対して付された順位に応じて抽出された店舗での前記順位を示す順位情報を提示する」構成に対応する構成を備えるから、上記１（２）で検討した理由と同様の理由により、引用発明と引用文献２ないし４に記載された事項とに基づいて、当業者が容易に発明をすることができたものではない。
第６　むすび
　以上のとおり、本願発明１−１８は、当業者が引用発明および引用文献２ないし４に記載された事項に基づいて容易に発明をすることができたものではない。したがって、原査定の理由によっては、本願を拒絶することはできない。
　また、他に本願を拒絶すべき理由を発見しない。
　よって、結論のとおり審決する。